(57)【要約】【課題】    本発明は赤、緑と青のカラーフィルターが剥がれるのを防ぎ、遮光構造から生じる応力を減少したフラットパネルディスプレイを提供する。【解決手段】複数のスキャンラインと複数のシグナルラインが交叉し、複数の画素領域を定義し、前記画素領域とギャップに実質的に対応する複数のメインスペーサを有するメインの遮蔽構造を含み、各ギャップは実質的に前記スキャンラインまたは前記シグナルラインのうちの１つに対応し、各メインスペーサは少なくとも１つの前記ギャップに接続され、各ギャップは二つの隣接したメインスペーサに接続され、および、前記ギャップに対応する複数の補助遮蔽構造を含むフラットパネルディスプレイ。【選択図】  図１
2005031631.tif 000002
【特許請求の範囲】
【請求項１】
互いに交叉して複数の画素領域を定義する複数のスキャンライン及び複数のシグナルラインと、
前記画素領域に実質的に対応する複数のメインスペーサと複数のギャップとを有し、各ギャップは実質的に前記スキャンラインまたは前記シグナルラインのうちの１つに対応し、各メインスペーサは少なくとも１つの前記ギャップに接続され、各ギャップは二つの隣接したメインスペーサに接続されてなるメインの遮蔽構造と、
前記ギャップに対応する複数の補助遮蔽構造とを含むことを特徴とするフラットパネルディスプレイ。
【請求項２】
前記画素領域に配置される画素電極を更に含むものである請求項１に記載のフラットパネルディスプレイ。
【請求項３】
複数のストライプ状遮蔽層が前記シグナルラインと前記画素電極の間に配置され、前記画素電極と前記メインの遮蔽構造を覆うようになっている請求項２に記載のフラットパネルディスプレイ。
【請求項４】
前記シグナルラインに実質的に対応する第１部の前記ギャップに対応し、前記シグナルラインと前記メインの遮蔽構造に部分的に重なり、前記ストライプ状遮蔽層に接続する複数の第１補助遮蔽層を含む第１部の前記補助遮蔽構造と、
前記スキャンラインに実質的に対応する第２部の前記ギャップに対応し、前記画素電極と前記メインの遮蔽構造に部分的に重なり、前記スキャンラインに接続する複数の第２補助遮蔽層を含む第２部の前記補助遮蔽構造とを備える請求項３に記載のフラットパネルディスプレイ。
【請求項５】
前記スキャンラインに隣接し、前記第２部の前記ギャップに対応する複数のコンデンサを更に含む請求項４に記載のフラットパネルディスプレイ。
【請求項６】
前記シグナルラインに実質的に対応する第１部の前記ギャップに対応し、前記ストライプ状遮蔽層と前記メインの遮蔽構造に部分的に重なり、前記シグナルラインに接続する複数の第３補助遮蔽層を含む第１部の前記補助遮蔽構造と、
前記スキャンラインに実質的に対応する第２部の前記ギャップに対応し、前記画素電極と前記メインの遮蔽構造に部分的に重なり、前記スキャンラインに接続する複数の第２補助遮蔽層を含む第２部の前記補助遮蔽構造とを備える請求項３に記載のフラットパネルディスプレイ。
【請求項７】
前記スキャンラインに隣接し、前記第２部の前記ギャップに対応する複数のコンデンサを更に含む請求項６に記載のフラットパネルディスプレイ。
【請求項８】
前記シグナルラインに実質的に対応する第１部の前記ギャップに対応し、相互に重なる複数の第１と第３補助遮蔽層を含み、第１補助遮蔽層は、前記シグナルラインと前記メインの遮蔽構造に部分的に重なり、前記ストライプ状遮蔽層に接続し、第３補助遮蔽層は、前記ストライプ状遮蔽層と前記メインの遮蔽構造に部分的に重なり、前記シグナルラインに接続する第１部の前記補助遮蔽構造と、
前記スキャンラインに実質的に対応する第２部の前記ギャップに対応し、前記画素電極と前記メインの遮蔽構造に部分的に重なる複数の第２補助遮蔽層を含み、前記スキャンラインに接続する第２部の前記補助遮蔽構造とを備える請求項３に記載のフラットパネルディスプレイ。
【請求項９】
前記スキャンラインに隣接し、前記第２部の前記ギャップに対応する複数のコンデンサを更に含む請求項８に記載のフラットパネルディスプレイ。
【請求項１０】
前記補助遮蔽構造は、前記シグナルラインに実質的に対応する前記ギャップに対応し、前記シグナルラインと前記メインの遮蔽構造に部分的に重なる複数の第１補助遮蔽層を含み、前記ストライプ状遮蔽層に接続するものである請求項３に記載のフラットパネルディスプレイ。
【請求項１１】
前記補助遮蔽構造は、前記シグナルラインに実質的に対応する前記ギャップに対応し、前記ストライプ状遮蔽層と前記メインの遮蔽構造に部分的に重なる複数の第３補助遮蔽層を含み、前記シグナルラインに接続するものである請求項３に記載のフラットパネルディスプレイ。
【請求項１２】
前記補助遮蔽構造は、前記シグナルラインに実質的に対応する前記ギャップに対応し、相互に重なる複数の第１と第３補助遮蔽層を含み、第１補助遮蔽層は、前記シグナルラインと前記メインの遮蔽構造に部分的に重なり、前記ストライプ状遮蔽層に接続し、
第３補助遮蔽層は、前記ストライプ状遮蔽層と前記メインの遮蔽構造に部分的に重なり、前記シグナルラインに接続するものである請求項３に記載のフラットパネルディスプレイ。
【請求項１３】
前記ギャップは前記スキャンラインに実質的に対応し、
前記メインの遮蔽構造は、複数の魚の骨形スペーサによって物理的に互いに分離された、複数の魚の骨形遮蔽層を含み、且つ、前記シグナルラインと並列し、各魚の骨形スペーサは前記メインスペーサと前記ギャップより構成されるものである請求項１に記載のフラットパネルディスプレイ。
【請求項１４】
前記ギャップは前記スキャンラインに実質的に対応し、
前記メインの遮蔽構造は、複数の魚の骨形スペーサによって物理的に互いに分離された複数の魚の骨形遮蔽要素を含み、且つ、前記スキャンラインと並列し、各魚の骨形スペーサは前記メインスペーサと前記ギャップより構成される請求項１に記載のフラットパネルディスプレイ。
【請求項１５】
複数のコモン電極と、
前記コモン電極の間に配置される画素電極と、および
前記コモン電極に接続され、不透明材料より構成されるコモン電極ラインとを更に含み、
前記ギャップの下に位置する前記コモン電極ラインは前記補助遮蔽構造である請求項１に記載のフラットパネルディスプレイ。
【請求項１６】
互いに交叉して複数の画素領域を定義する複数のスキャンラインと複数のシグナルライン、前記画素領域に配置される複数の画素電極、前記シグナルラインと前記画素電極の間に配置され、前記画素電極に重なる複数のストライプ状遮蔽層、および複数の補助遮蔽構造を含む第１基板と、
前記画素領域と複数のギャップに実質的に対応する複数のメインスペーサを有し、各ギャップが前記スキャンラインまたは前記シグナルラインのうちの１つに実質的に対応し、各メインスペーサが少なくとも１つの前記ギャップに接続され、各ギャップは二つの隣接したメインスペーサに接続されてなるメインの遮蔽構造、および前記メインの遮蔽構造に配置されるカラーフィルターを含む第２基板と、
前記第１と前記第２基板の間で密閉される液晶とからなり、
前記補助遮蔽構造が前記ギャップに対応することを特徴とするフラットパネルディスプレイ。
【請求項１７】
第１方向に相互に並列する第１と第２スキャンライン、
第２方向に相互に並列し、前記第１及び第２スキャンラインとともに、画素領域を定義する第１及び第２シグナルライン、
前記画素領域に実質的に対応するメインスペーサと前記メインスペーサに隣接するメインスペーサに接続されるギャップを有するメインの遮蔽構造、および、前記メインの遮蔽構造を部分的に覆うために前記ギャップの下に配置される補助遮蔽構造を含むことを特徴とするフラットパネルディスプレイ。
【請求項１８】
前記ギャップは前記第１スキャンラインの上に配置され、第１画素電極は前記メインスペーサの下に配置され、第２画素電極は前記隣接するメインスペーサの下に配置され、前記第１と前記第２画素電極は前記第１シグナルラインによってコントロールされる請求項１７に記載のフラットパネルディスプレイ。
【請求項１９】
前記第１スキャンラインに隣接し、前記ギャップに対応しているコンデンサを含む請求項１８に記載のフラットパネルディスプレイ。
【請求項２０】
補助遮蔽構造が前記第１スキャンラインに隣接する請求項１８に記載のフラットパネルディスプレイ。
【請求項２１】
前記ギャップは前記第１シグナルラインの上に配置され、第１画素電極は前記メインスペーサの下に配置され、第２画素電極は前記隣接するメインスペーサの下に配置され、前記第１及び第２画素電極は前記第１スキャンラインによってコントロールされる請求項１７に記載のフラットパネルディスプレイ。
【請求項２２】
前記第１シグナルラインの両側にある第１と前記第２ストライプ状遮蔽層、および
前記補助遮蔽構造を構成し、前記第１シグナルラインと前記メイン遮蔽構造に部分的に重なり、前記第１及び第２ストライプ状遮蔽層にそれぞれ接続する第１及び第２補助遮蔽層を更に含む請求項２１に記載のフラットパネルディスプレイ。
【請求項２３】
前記第１シグナルラインの両側にある第１及び第２ストライプ状遮蔽層、および
前記補助遮蔽構造を構成し、前記第１及び第２ストライプ状遮蔽層と前記メイン遮蔽構造に部分的に重なり、前記第１シグナルラインに接続する第１及び第２補助遮蔽層を更に含む請求項２１に記載のフラットパネルディスプレイ。
【請求項２４】
前記第１シグナルラインの両側にある第１と前記第２ストライプ状遮蔽層、および
前記補助遮蔽構造を構成する第１と第２、第３と第４補助遮蔽層を含み、
前記第１と第２補助遮蔽層は前記メイン遮蔽構造に重なり、前記第１と前記第２ストライプ状遮蔽層にそれぞれ接続し、前記第３と前記第４補助遮蔽層は前記メイン遮蔽構造に重なり、前記第１シグナルラインに接続し、前記第１と第２補助遮蔽層は前記第３と第４補助遮蔽層に重なる請求項２１に記載のフラットパネルディスプレイ。
【発明の詳細な説明】
【技術分野】
【０００１】
本発明は、フラットパネルディスプレイに関し、特に、非マトリックスの遮光構造を備えた液晶ディスプレイに関するものである。
【背景技術】
【０００２】
液晶ディスプレイは、低電力消費、軽量、薄い側面、低駆動電圧の利点を備えたフラットパネルディスプレイで周知の形態である。一般に液晶ディスプレイでは、液晶層は、ガラス基板のような二つの透明基板の間に設置され、その２つの透明基板のうちの１つは、例えば薄膜トランジスタ（ＴＦＴｓ）のようなスイッチ装置が提供されている。液晶ディスプレイのディスプレイエリアでは、画素エリアのアレイは、横に拡張したスキャンラインと縦に拡張したシグナルラインによって定義されている。各画素エリアは薄膜トランジスタと画素電極とを有している。
【０００３】
図２３は従来の薄膜トランジスタの液晶ディスプレイを示す断面図である。下側の基板には、エッチストッパー逆スタガ型（ｅｔｃｈ  ｓｔｏｐｐｅｒ  ｉｎｖｅｒｓｅ  ｓｔａｇｇｅｒｄ  ｔｙｐｅ）の薄膜トランジスタ１５が下側ガラス基板の一部に配置され、インジウムスズ酸化物（ＩＴＯ）でできた画素電極８が下側ガラス基板１の他の一部に配置されている。薄膜トランジスタ１５を保護する保護層９は、薄膜トランジスタ１５の上に配置されている。薄膜トランジスタ１５はゲート２ａ、ソース７ａおよびドレイン７ｂを有している。絶縁層３は画素電極８と蓄積電極２ｂの間に配置され、蓄電器１７を形成する。数字４はアクティブ領域を示し、数字５はエッチストッパーで、数字６はオーム抵抗のコンタクト層を示している。
【０００４】
上側の基板には、ブラックマトリックス１２が上側ガラス基板１１の一部に配置されている。赤、緑、青のカラーフィルター層１３は、画素電極に対応して上側ガラス基板の他の一部に配置されている。インジウムスズ酸化物（ＩＴＯ）でできたコモン電極１４は、ブラックマトリックス１２とカラーフィルター層１３の上に配置されている。
【０００５】
上側ガラス基板の上に配置されている遮光構造は、マトリックスに配置された開口を有し、遮光構造で開口と並べられた各画素電極とともに下側ガラス基板の上の薄膜トランジスタアレイに並べられ、各画素電極の端は、遮光構造の周辺によって重ねられている（特許文献１、２参照）。遮光膜の形状は、光を伝送できるように格子状となっている（特許文献３参照）。
【０００６】
図２４に見られるように、ブラックマトリックス１２、すなわち格子状パターンにある遮光部分は、ハッチングで示され、開孔部１８、すなわち光透過部分は白で示されている。ブラックマトリックス１２は、原色の赤、緑、青の各色画素のディスプレイ部の周辺を陰にし、互いに隣接したカラーフィルター１３による各色のにじみを防ぐことで、混色を防ぐことができる。ブラックマトリックス１２は通常、カラー表示のコントラストを改善させ、ディスプレイの品質を増進させるために用いられる。
【０００７】
しかし、上側基板にクロムを含んだブラックマトリックス１２は、上側基板を形成する時、ブラックマトリックスとガラス基板、ブラックマトリックスとカラーフィルターの熱膨張係数の差によって大きな圧力を受ける。赤、緑と青のカラーフィルターは、上側基板を製造する時と、ブラックマトリックスから離される時に必要とされる熱サイクルによって引き起こされる応力で剥がれる可能性がある。
【０００８】
【特許文献１】米国特許５、５６１、４４０号
【特許文献２】米国特許６、０６４、３５８号
【特許文献３】米国特許６、４２４、３９４号
【発明の開示】
【発明が解決しようとする課題】
【０００９】
上記課題を解決するため、本発明の課題は赤、緑と青のカラーフィルターが剥がれるのを防ぐフラットパネルディスプレイを提供する。本発明のもう１つの課題は、遮光構造から生じる応力を減少したフラットパネルディスプレイを提供することにある。
【課題を解決するための手段】
【００１０】
本発明は非マトリックスの遮光構造を備えたフラットパネルを提供する。非マトリックスの遮光構造は、前記画素領域に実質的に対応する複数のメインスペーサと複数のギャップを有し、各ギャップは実質的に前記スキャンラインまたは前記シグナルラインのうちの１つに対応し、各メインスペーサは少なくとも１つの前記ギャップに接続され、各ギャップは二つの隣接したメインスペーサに接続されるものである。
【００１１】
本発明は、液晶層が第１と第２基板の間に配置されるフラットパネルディスプレイを提供する。第１基板は、互いに交叉して複数の画素領域を定義する複数のスキャンラインと複数のシグナルライン、前記画素領域に配置される複数の画素電極、前記シグナルラインと前記画素電極の間に配置され、前記画素電極に重なる複数のストライプ状遮蔽層、および複数の補助遮蔽構造を含むものである。
【００１２】
第２基板は、前記画素領域と複数のギャップに実質的に対応する複数のメインスペーサを有し、各ギャップが前記スキャンラインまたは前記シグナルラインのうちの１つに実質的に対応し、各メインスペーサが少なくとも１つの前記ギャップに接続され、各ギャップは二つの隣接したメインスペーサに接続されてなるメインの遮蔽構造、前記補助遮蔽構造が前記ギャップに対応するのを含むものである。
【００１３】
本発明は、フラットパネルディスプレイを提供する。画素ユニットは、第１方向に相互に並列する第１と第２スキャンライン、第２方向に相互に並列し、前記第１と前記第２スキャンラインとともに、画素領域を定義する第１と第２シグナルライン、前記画素領域に実質的に対応するメインスペーサと前記メインスペーサに隣接するメインスペーサに接続されるギャップを有するメインの遮蔽構造、および前記メインの遮蔽構造を部分的に覆うために前記ギャップの下に配置される補助遮蔽構造を含むものである。
【００１４】
具体的には、本発明のフラットパネルディスプレイは、互いに交叉して複数の画素領域を定義する複数のスキャンライン及び複数のシグナルラインと、前記画素領域に実質的に対応する複数のメインスペーサと複数のギャップとを有し、各ギャップは実質的に前記スキャンラインまたは前記シグナルラインのうちの１つに対応し、各メインスペーサは少なくとも１つの前記ギャップに接続され、各ギャップは二つの隣接したメインスペーサに接続されてなるメインの遮蔽構造と、前記ギャップに対応する複数の補助遮蔽構造とを含むことを特徴とする。前記画素領域に配置される画素電極を更に含むものであることが好ましい。複数のストライプ状遮蔽層は前記シグナルラインと前記画素電極の間に配置され、前記画素電極と前記メインの遮蔽構造を覆うようになっている好ましい。この場合、前記シグナルラインに実質的に対応する第１部の前記ギャップに対応し、前記シグナルラインと前記メインの遮蔽構造に部分的に重なり、前記ストライプ状遮蔽層に接続する複数の第１補助遮蔽層を含む第１部の前記補助遮蔽構造と、前記スキャンラインに実質的に対応する第２部の前記ギャップに対応し、前記画素電極と前記メインの遮蔽構造に部分的に重なり、前記スキャンラインに接続する複数の第２補助遮蔽層を含む第２部の前記補助遮蔽構造とを備えることが望ましい。そして、前記スキャンラインに隣接し、前記第２部の前記ギャップに対応する複数のコンデンサを更に含むことが好ましい。
【００１５】
そして、本発明に係るフラットパネルディスプレイは、前記シグナルラインに実質的に対応する第１部の前記ギャップに対応し、前記ストライプ状遮蔽層と前記メインの遮蔽構造に部分的に重なり、前記シグナルラインに接続する複数の第３補助遮蔽層を含む第１部の前記補助遮蔽構造と、前記スキャンラインに実質的に対応する第２部の前記ギャップに対応し、前記画素電極と前記メインの遮蔽構造に部分的に重なり、前記スキャンラインに接続する複数の第２補助遮蔽層を含む第２部の前記補助遮蔽構造とを備えることが望ましい。この場合、前記スキャンラインに隣接し、前記第２部の前記ギャップに対応する複数のコンデンサを更に含むことが好ましい。
【００１６】
また、本発明に係るフラットパネルディスプレイは、前記シグナルラインに実質的に対応する第１部の前記ギャップに対応し、相互に重なる複数の第１と第３補助遮蔽層を含み、第１補助遮蔽層は、前記シグナルラインと前記メインの遮蔽構造に部分的に重なり、前記ストライプ状遮蔽層に接続し、第３補助遮蔽層は、前記ストライプ状遮蔽層と前記メインの遮蔽構造に部分的に重なり、前記シグナルラインに接続する第１部の前記補助遮蔽構造と、前記スキャンラインに実質的に対応する第２部の前記ギャップに対応し、前記画素電極と前記メインの遮蔽構造に部分的に重なる複数の第２補助遮蔽層を含み、前記スキャンラインに接続する第２部の前記補助遮蔽構造とを備えることが好ましい。この場合、前記スキャンラインに隣接し、前記第２部の前記ギャップに対応する複数のコンデンサを更に含むことが好ましい。
【００１７】
本発明における前記補助遮蔽構造は、前記シグナルラインに実質的に対応する前記ギャップに対応し、前記シグナルラインと前記メインの遮蔽構造に部分的に重なる複数の第１補助遮蔽層を含み、前記ストライプ状遮蔽層に接続することが好ましく、或いは、前記補助遮蔽構造は、前記シグナルラインに実質的に対応する前記ギャップに対応し、前記ストライプ状遮蔽層と前記メインの遮蔽構造に部分的に重なる複数の第３補助遮蔽層を含み、前記シグナルラインに接続することが好ましく、または、前記補助遮蔽構造は、前記シグナルラインに実質的に対応する前記ギャップに対応し、相互に重なる複数の第１と第３補助遮蔽層を含み、第１補助遮蔽層は、前記シグナルラインと前記メインの遮蔽構造に部分的に重なり、前記ストライプ状遮蔽層に接続し、第３補助遮蔽層は、前記ストライプ状遮蔽層と前記メインの遮蔽構造に部分的に重なり、前記シグナルラインに接続することが好ましい。
【００１８】
本発明における前記ギャップは、前記スキャンラインに実質的に対応し、前記メインの遮蔽構造は、複数の魚の骨形スペーサによって物理的に互いに分離された、複数の魚の骨形遮蔽層を含み、且つ、前記シグナルラインと並列し、各魚の骨形スペーサは前記メインスペーサと前記ギャップより構成されることが望ましく、或いは、前記ギャップは前記スキャンラインに実質的に対応し、前記メインの遮蔽構造は、複数の魚の骨形スペーサによって物理的に互いに分離された複数の魚の骨形遮蔽要素を含み、且つ、前記スキャンラインと並列し、各魚の骨形スペーサは前記メインスペーサと前記ギャップより構成されることが望ましい。
【００１９】
本発明に係るフラットパネルディスプレイは、複数のコモン電極と、前記コモン電極の間に配置される画素電極と、および前記コモン電極に接続され、不透明材料より構成されるコモン電極ラインとを更に含み、前記ギャップの下に位置する前記コモン電極ラインは前記補助遮蔽構造であることが好ましい。
【００２０】
また、別の本発明に係るフラットパネルディスプレイは、互いに交叉して複数の画素領域を定義する複数のスキャンラインと複数のシグナルライン、前記画素領域に配置される複数の画素電極、前記シグナルラインと前記画素電極の間に配置され、前記画素電極に重なる複数のストライプ状遮蔽層、および複数の補助遮蔽構造を含む第１基板と、前記画素領域と複数のギャップに実質的に対応する複数のメインスペーサを有し、各ギャップが前記スキャンラインまたは前記シグナルラインのうちの１つに実質的に対応し、各メインスペーサが少なくとも１つの前記ギャップに接続され、各ギャップは二つの隣接したメインスペーサに接続されてなるメインの遮蔽構造、および前記メインの遮蔽構造に配置されるカラーフィルターを含む第２基板と、前記第１と前記第２基板の間で密閉される液晶とからなり、前記補助遮蔽構造が前記ギャップに対応することを特徴とする。
【００２１】
さらに、他の本発係るフラットパネルディスプレイは、第１方向に相互に並列する第１と第２スキャンライン、第２方向に相互に並列し、前記第１及び第２スキャンラインとともに、画素領域を定義する第１及び第２シグナルライン、前記画素領域に実質的に対応するメインスペーサと前記メインスペーサに隣接するメインスペーサに接続されるギャップを有するメインの遮蔽構造、および、前記メインの遮蔽構造を部分的に覆うために前記ギャップの下に配置される補助遮蔽構造を含むことを特徴とする。前記ギャップは前記第１スキャンラインの上に配置され、第１画素電極は前記メインスペーサの下に配置され、第２画素電極は前記隣接するメインスペーサの下に配置され、前記第１と前記第２画素電極は前記第１シグナルラインによってコントロールされることが好ましい。この場合、前記第１スキャンラインに隣接し、前記ギャップに対応しているコンデンサを含むことが好ましい。また、補助遮蔽構造は前記第１スキャンラインに隣接するようにすることが望ましい。
【００２２】
そして、前記ギャップは前記第１シグナルラインの上に配置され、第１画素電極は前記メインスペーサの下に配置され、第２画素電極は前記隣接するメインスペーサの下に配置され、前記第１及び第２画素電極は前記第１スキャンラインによってコントロールされることが望ましい。この場合、前記第１シグナルラインの両側にある第１と前記第２ストライプ状遮蔽層、および  前記補助遮蔽構造を構成し、前記第１シグナルラインと前記メイン遮蔽構造に部分的に重なり、前記第１及び第２ストライプ状遮蔽層にそれぞれ接続する第１及び第２補助遮蔽層を更に含むことが好ましく、或いは、前記第１シグナルラインの両側にある第１及び第２ストライプ状遮蔽層、および前記補助遮蔽構造を構成し、前記第１及び第２ストライプ状遮蔽層と前記メイン遮蔽構造に部分的に重なり、前記第１シグナルラインに接続する第１及び第２補助遮蔽層を更に含むことが好ましく、または、前記第１シグナルラインの両側にある第１と前記第２ストライプ状遮蔽層、および前記補助遮蔽構造を構成する第１と第２、第３と第４補助遮蔽層を含み、前記第１と第２補助遮蔽層は前記メイン遮蔽構造に重なり、前記第１と前記第２ストライプ状遮蔽層にそれぞれ接続し、前記第３と前記第４補助遮蔽層は前記メイン遮蔽構造に重なり、前記第１シグナルラインに接続し、前記第１と第２補助遮蔽層は前記第３と第４補助遮蔽層に重なるようにすることが好ましい。。
【発明の効果】
【００２３】
本発明は、上側基板を製造している間、遮光構造からの圧力を減少するために、非マトリックスの遮光構造を提供する。本発明に用いられる液晶ディスプレイ装置（液晶パネル）は、特に制限されず、ディスプレイは反射型、透過型、投影型または半透過型のタイプによることができ、最小ディスプレイユニットの各画素に形成された駆動原理は薄膜トランジスタ、ＭＩＭ（ｍｅｔａｌ  ｉｎｓｕｌａｔｏｒ  ｍｅｔａｌ）またはこれらと類似のものによることができ、改善された画像品質と優れた解像度をディスプレイに実現することができる。
【発明を実施するための最良の形態】
【００２４】
本発明についての目的、特徴、長所が一層明確に理解されるよう、以下に実施形態を例示し、図面を参照にしながら、詳細に説明する。
【００２５】
本発明に基づいた液晶ディスプレイの遮光構造を説明する前に、図面を参照しながら本発明に用いられる液晶ディスプレイ装置の一般的な構造を説明する。
【実施例１】
【００２６】
実施例１では、駆動原理である薄膜トランジスタの透過型液晶ディスプレイを具体例に挙げ、以下に詳細を説明する。図１は、本発明の実施例１についての液晶ディスプレイの画素領域における平面図である。図２、図３、図４は、それぞれ図１のカットラインＡ−Ａ’、Ｂ−Ｂ’、Ｃ−Ｃ’に沿って取り上げた断面図である。図７は、図１の画素領域の上側透明基板に配置されているメインの遮蔽構造を表す平面図を示している。
【００２７】
図５は、複数の隣接したディスプレイ画素の魚の骨形遮蔽要素の平面図で、図６は、複数の隣接したディスプレイ画素の魚の骨形層の間にある魚の骨形スペーサの平面図である。図２〜図４に見られるように、液晶ディスプレイは上側基板５６２と下側基板５６１を含み、液晶５５７は上側基板５６２と下側基板５６１の間のスペースに密閉され、照明源５６４は下側基板５６１の後ろに設置される。
【００２８】
図１と図２〜図４に見られるように、下側基板５６１の１つの画素エリアには、透明基板５５６、薄膜トランジスタ５１０、方向Ｘに伸びているスキャンライン５０１Ａと５０１Ｂ、方向Ｙに伸びているシグナルライン５００Ａと５００Ｂ、点線に示された画素電極５５４、ストライプ状遮蔽層５５１Ａと５５１Ｂと補助遮蔽層５０９Ａ、５０９Ｂ、５１９Ａと５１９Ｂを含む。スキャンライン５０１Ａと５０１Ｂとシグナルライン５００Ａと５００Ｂは、画素エリアを定義し、図１に見られる点線で囲まれた画素電極５５４は、画素エリアのメイン部分に形成される。画素電極５５４は、画素エリアの１つのコーナーで、スキャンライン５０１Ｂとシグナルライン５００Ｂと一体に実質的に形成された薄膜トランジスタ５１０によってコントロールされる。
【００２９】
下側基板５６１に関しては、左のストライプ状遮蔽層５５１Ａは、左のシグナルライン５００Ａと画素電極５５４の間に形成され、画素電極５５４の周囲に部分的に重なる。また、右のストライプ状遮蔽層５５１Ｂは、右のシグナルライン５００Ｂと画素電極５５４の間に形成され、画素電極５５４の周囲に部分的に重なる。左側に見られるように、例えば補助遮蔽層５０９Ａと５１９Ａから構成された左の補助遮蔽構造は、シグナルライン５００Ａとストライプ状遮蔽層５５１Ａの間に形成され、その間の漏電を防止する。
【００３０】
また、左の補助遮蔽層は隔絶した遮蔽構造５２９よりなることができ、ストライプ状遮蔽層５５１Ａとシグナルライン５００Ａに重なり（図１０に見られるように）、遮蔽構造５０９’（図１１に見られる）は、シグナルライン５００Ａに重なり、ストライプ状遮蔽層５５１Ａに接続する。遮蔽構造５１９’ （図１２に見られる）は、ストライプ状遮蔽層５５１Ａに重なり、シグナルライン５００Ａに接続するか、または二つの補助構造はそれぞれストライプ状遮蔽層５５１Ａとシグナルライン５００Ａに接続される。以下は本実施例と図表に基づいて説明する。
【００３１】
図１と図３に見られるように、左の補助遮蔽構造は、補助遮蔽層５０９Ａと５１９Ａより構成される。補助遮蔽層５０９Ａは、ストライプ状遮蔽層５５１Ａに接続し、補助遮蔽層５１９Ａは、シグナルライン５００Ａに接続し、相互に重なり合う。右の補助遮蔽層は、補助遮蔽層５０９Ｂと５１９Ｂより構成される。補助遮蔽層５０９Ｂはストライプ状遮蔽層５５１Ｂに接続し、補助遮蔽層５１９Ｂはシグナルライン５００Ｂに接続し、相互に重なり合う。
【００３２】
補助遮蔽層５０９Ａ、５０９Ｂ、５１９Ａと５１９Ｂは、状況に応じた補助で、それらは上側基板５６２で形成されたメインの遮蔽構造５５９で特定の魚の骨形スペーサと重なるようにデザインされている。上側基板５６２は、透明のコモン電極５６３、メインの遮蔽構造５５９と３つの原色の赤、緑、青のカラーフィルター５６０を含む。図２〜図４では、サブフィルターＲは、例として画素エリアに示される。
【００３３】
透明基板５５８に配置されたメインの遮蔽構造５５９は、いくつかの画素エリアとともに図５と図６に示される。メインの遮蔽構造５５９を形成するのに用いられる材料は、金属または樹脂といった、いかなる遮光材料でも採用することができる。メインの遮蔽構造５５９は、複数の魚の骨形遮蔽要素５５９Ａより構成され、魚の骨形スペーサ５０８によって物理的に互いに分離され、方向Ｘに並列する。
【００３４】
各魚の骨形遮蔽要素５５９Ａは、方向Ｘに伸びた中央棒５５９Ｂを含み、スキャンライン５０１を覆い、中央棒５５９Ｂの両側から複数の枝５５９Ｃが垂直に伸びている。魚の骨形スペーサ５０８は複数のギャップ５０８Ｓとメインスペーサ５０８Ｌを含む。各ギャップ５０８Ｓは、２つの隣接した魚の骨形遮蔽要素５５９Ａに属する隣接した枝５５９Ｃの間の最も近いエリアとなる。ギャップ５０８Ｓは、メインの遮蔽構造５５９が製造中に圧縮または引っ張られている間、局部的な圧力が蓄積されるのを防ぐためのスペースを提供する。この魚の骨形遮蔽要素５５９Ａの分離は、上側基板５６２の製造の間、液晶ディスプレイパネル全体にかかる熱応力を防ぐためのスペースを提供する。
【００３５】
より詳細な説明をするために、図１と図７に画素エリアを示す。魚の骨形遮蔽要素５５９Ａは、更に５５９Ａ１と５５９Ａ２と呼び、枝５５９Ｃは更に５５９Ｃ１と５５９Ｃ２と呼び、ギャップ５０８Ｓは更に、５０８Ｓ１と５０８Ｓ２と呼ぶ。図７は、光透過の画素エリア５０８Ｌを定義する２つの隣接した魚の骨形遮蔽要素５５９Ａ１と５５９Ａ２の一部のみを示し、これらは、魚の骨形スペーサ５０８のメインスペーサのうちの１つで、下側基板５６１で画素電極５５４に対応する。魚の骨形遮蔽要素５５９Ａ１と５５９Ａ２は、魚の骨形スペーサ５０８によって分離され、メインスペーサ５０８Ｌが対応する画素電極５５４のメイン部分は、魚の骨形遮蔽要素５５９Ａ１の２つの隣接した枝５５９Ｃ１と５５９Ｃ２と、魚の骨形遮蔽要素５５９Ａ２の２つの隣接した枝５５９Ｃ１と５５９Ｃ２によって定義される。
【００３６】
画素エリア内で、左の枝５５９Ｃ１はシグナルライン５００Ａの一部に重なり、右の枝５５９Ｃ２はシグナルライン５００Ｂの一部に重なる。よって左のギャップ５０８Ｓ１は左のシグナルライン５００Ａの一部を露出し、右のギャップ５０８Ｓ２は右のシグナルライン５００Ｂの一部を露出する。左の補助遮蔽層５０９Ａと５１９Ａはギャップ５０８Ｓ１に対応し、図８に見られるように、部分的に枝５５９Ｃ１に重なる。右の補助遮蔽層５０９Ｂと５１９Ｂはギャップ５０８Ｓ２に対応し、部分的に枝５５９Ｃ２に重なる。
【００３７】
ストライプ状遮蔽層５５１Ａと５５１Ｂと補助遮蔽層５０９Ａと５０９Ｂはシグナルライン５００Ａと５００Ｂより低い位置に配置される。例えば、ストライプ状遮蔽層５５１Ａと５５１Ｂと補助遮蔽層５０９Ａと５０９Ｂは、スキャンライン５０１Ａと５０１Ｂと第１金属層（Ｍ１）とから形成され、シグナルライン５００Ａと５００Ｂと補助遮蔽層５１９Ａと５１９Ｂは、第２金属層（Ｍ２）から形成される。ストライプ状遮蔽層５５１Ａと５５１Ｂ、補助遮蔽層５０９Ａと５０９Ｂとスキャンライン５０１Ａと５０１Ｂが第１金属層（Ｍ１）に形成された後、ゲート絶縁層５５５がその上に形成され、第１金属層（Ｍ１）を覆う。シグナルライン５００Ａと５００Ｂと補助遮蔽層５１９Ａと５１９Ｂは、次に第２金属層（Ｍ２）に形成され、ゲート絶縁層５５５の上に配置される。保護層５５０はその後、画素電極５５４を形成する前に形成される。
【００３８】
図９に示されるいくつかの画素エリアについて説明する。遮光構造はメインの遮蔽構造５５９、ストライプ状遮蔽層５５１とストライプ遮蔽層５５１に接続する補助遮蔽層５０９と、シグナルライン５００に接続する補助遮蔽層５１９を含む。
【００３９】
メインの遮蔽構造５５９は、画素電極５５４を通過する光の送信を許し、ストライプ状遮蔽層５５１と相まって作動するもので、補助遮蔽層５０９と５１９は、対応する画素電極５５４を通過しない光をブロックする。
【実施例２】
【００４０】
実施例２では、薄膜トランジスタの透過型液晶ディスプレイを駆動原理とする具体的な例を詳細に説明する。図１３は、本発明の実施例２における液晶ディスプレイの画素領域の平面図である。図１４、図１５と図１６は、ぞれぞれ図１３のカットラインＡ−Ａ’、Ｂ−Ｂ’、Ｃ−Ｃ’に沿って取り上げた断面図である。図１８は、図１３の画素領域の上側透明基盤に配置された二つの隣接した魚の骨形遮蔽層の一部のみを示す平面図である。
【００４１】
図１７は、複数の隣接したディスプレイ画素の魚の骨形遮蔽層の平面図で、図１９は、液晶ディスプレイの複数の隣接したディスプレイ画素領域の平面図である。図１４〜図１６に見られるように、液晶ディスプレイは上基板６６２、下基板６６１を含み、液晶６５７は上側基板６６２と下側基板６６１の間のスペースで密閉され、照明源６６４は下側基板６６１の後ろに設置される。
【００４２】
図１３と図１４〜図１６に見られるように、下側基板６６１の１つの画素エリアには、透明基板６５６、薄膜トランジスタ６１０、方向Ｘに伸びているスキャンライン６０１Ａと６０１Ｂ、方向Ｙに伸びているシグナルライン６００Ａと６００Ｂ、点線で示された画素電極６５４、ストライプ状遮蔽層６５１Ａと６５１Ｂと補助遮蔽層６３９Ａ、６３９Ｂを含む。スキャンライン６０１Ａと６０１Ｂとシグナルライン６００Ａと６００Ｂは、画素エリアを定義し、点線のある図１に見られる画素電極６５４は、画素エリアのメイン部分に形成される。画素電極６５４は、画素エリアの１つのコーナーで、スキャンライン６０１Ｂとシグナルライン６００Ｂと一体に実質的に形成された薄膜トランジスタ６１０によってコントロールされる。下側電極のコンデンサ６０５は、スキャンライン６０１Ａと６０１Ｂに隣接して形成され、上側電極のコンデンサ６０６は、保護層６５０で開孔６０７を通って画素電極６５４に接続されるように形成される。
【００４３】
下側基板６６１については、左のストライプ遮蔽層６５１Ａは、左のシグナルライン６００Ａと画素電極６５４の間に形成され、画素電極６５４の周囲を部分的に覆う。また、右のストライプ遮蔽層６５１Ｂは、右のシグナルライン６００Ｂと画素電極６５４の間に形成され、画素電極６５４の周囲を部分的に覆う。示されている画素電極６５４と連動するコンデンサ電極６３９Ａは、スキャンライン６０１Ａと形成され、画素電極６５４を部分的に覆うことで、スキャンライン６０１Ａと画素電極６５４の間の漏電を防ぐ。
【００４４】
例えばスキャンライン６０１Ｂに接続した補助遮蔽層６３９Ｂから構成された補助遮蔽構造は、スキャンライン６０１Ｂと画素電極６５４の間に形成され、その間の漏電を防止する。もう１つの補助遮蔽層６３９Ａは、スキャンライン６０１Ａと一部のみに示された上側の画素電極６５４の間に形成され、漏電を防止する。また、補助遮蔽層は隔絶した遮蔽構造によることができ、画素電極６５４とスキャンライン６０１Ｂに重なる。
【００４５】
図１３と図１４〜図１６に見られるように、補助遮蔽構造は、補助遮蔽層６３９Ａと６３９Ｂより構成され、スキャンライン６０１Ａと６０１Ｂにそれぞれ接続し、それらに対応する画素電極６５４に重なる。補助遮蔽層６３９Ａと６３９Ｂは、状況に応じて補足的で、上側基板６６２で形成されたメインの遮蔽構造６５９に、一定の魚の骨形スペーサと重なるようにデザインされている。上側基板６６２は、透明のコモン電極６６３、メインの遮蔽構造６５９と３つの原色の赤、緑、青のカラーフィルター６６０を含む。図１４〜図１６では、サブフィルターＲは、例として画素エリアに示される。
【００４６】
透明基板６５８に配置されたメインの遮蔽構造６５９は、いくつかの画素エリアとともに図１７に示される。メインの遮蔽構造６５９を形成するのに用いられる材料は、金属または樹脂といった、いかなる遮光材料でも採用可能である。メインの遮蔽構造６５９は、複数の魚の骨形遮蔽要素６５９Ａより構成され、魚の骨形スペーサ６０８によって物理的に互いに分離され、方向Ｙに並列する。
【００４７】
図１７に見られるように、各魚の骨形遮蔽層６５９Ａは、方向Ｙに伸びた中央棒６５９Ｂを含み、シグナルライン６００を覆い、中央棒６５９Ｂの両側から複数の枝６５９Ｃが垂直に伸びている。魚の骨形スペーサ６０８は複数のギャップ６０８Ｓとメインスペーサ６０８Ｌを含む。各ギャップ６０８Ｓは、２つの隣接した魚の骨形遮蔽要素６５９Ａに属する隣接した枝６５９Ｃの間に最も近いエリアとなる。ギャップ６０８Ｓは、製造時の圧縮または引っ張られている間に、メインの遮蔽構造６５９が局部的な圧力が蓄積されるのを防ぐためにスペースを提供する。この魚の骨形遮蔽要素６５９Ａの分離は、上側基板６６２の製造の間、液晶ディスプレイパネル全体にかかる蓄積からの圧力を防ぐためにスペースを提供する。
【００４８】
図１３と図１８に見られる画素エリアを説明する。魚の骨形遮蔽要素６５９Ａは、更に６５９Ａ１と６５９Ａ２と呼び、枝６５９Ｃは更に６５９Ｃ１と６５９Ｃ２と呼び、ギャップ６０８Ｓ１は更に、６０８Ｓ１と６０８Ｓ２と呼ぶ。図１８は、光透過の画素エリア６０８Ｌを定義する２つの隣接した魚の骨形遮蔽要素６５９Ａ１と６５９Ａ２の一部のみを示し、これらは、魚の骨形スペーサ６０８のメインスペーサのうちの１つで、下側基板６６１で画素電極６５４に対応する。魚の骨形遮蔽要素６５９Ａ１と６５９Ａ２は、魚の骨形スペーサ６０８によって分離され、メインスペーサ６０８Ｌが対応する画素電極６５４のメイン部分は、魚の骨形遮蔽要素６５９Ａ１の２つの隣接した枝６５９Ｃ１と６５９Ｃ２と、魚の骨形遮蔽要素６５９Ａ２の２つの隣接した枝６５９Ｃ１と６５９Ｃ２によって定義される。
【００４９】
画素エリア内で、上の枝６５９Ｃ１はスキャンライン６０１Ａの一部に重なり、下の枝６５９Ｃ２はスキャンライン６０１Ｂの一部に重なる。よって上のギャップ６０８Ｓ１は上のスキャンライン６０１Ａの一部を露出し、下のギャップ６０８Ｓ２は下のスキャンライン６０１Ｂの一部を露出する。補助遮蔽層６３９Ａと６３９Ｂはギャップ６０８Ｓ１と６０８Ｓ１に対応し、図１３と図１８に見られるように、それぞれ枝６５９Ｃ１と６５９Ｃ２部分的に重なる。
【００５０】
例えば、ストライプ状遮蔽層６５１Ａと６５１Ｂと補助遮蔽層６３９Ａと６３９Ｂは、スキャンライン６０１Ａと６０１Ｂと第１金属層（Ｍ１）とから形成され、シグナルライン６００Ａと６００Ｂと上側コンデンサ電極６０６は、第２金属層（Ｍ２）から形成される。ストライプ状遮蔽層６５１Ａと６５１Ｂ、補助遮蔽層６３９Ａと６３９Ｂ、コンデンサ６０５の下側電極とスキャンライン６０１Ａと６０１Ｂが第１金属層（Ｍ１）に形成された後、窒化ケイ素絶、シリコン酸化物などといった絶縁層６５５がその上に堆積され、第１金属層（Ｍ１）を覆う。シグナルライン６００Ａと６００Ｂとコンデンサ６０５の上側電極６０６は次に、第２金属層（Ｍ２）に形成され、絶縁層６５５の上に堆積される。窒化ケイ素絶、シリコン酸化物などといった保護層６５０はその後、画素電極６５４を形成する前に形成される。
【００５１】
図１９に示されたいくつかの画素エリアについて説明する。遮光構造はメインの遮蔽構造６５９、ストライプ状遮蔽層６５１とスキャンライン６０１に接続する補助遮蔽層６３９を含む。
【００５２】
メインの遮蔽構造６５９は、画素電極６５４を通過する光の送信を許し、ストライプ状遮蔽層６５１と相まって作動して、補助遮蔽層６３９は、対応する画素電極６５４を通過しない光をブロックする。
【実施例３】
【００５３】
図９と図１９に見られるように、メインの遮蔽構造５５９、６５９でギャップ５０８Ｓと６０８Ｓを通過する入射光線は、異なる段に配置されている補助遮蔽構造によってブロックされる。ギャップ５０８Ｓと６０８Ｓは液晶ディスプレイパネル全体にかかる圧力を防ぐためにスペースを提供する。
【００５４】
実施例３では、図２０を参照する。ギャップ７０８Ｓはスキャンライン７０１とシグナルライン７００の上に不規則に配置されている。点線に見られる画素電極７５４に対応する各メインスペーサ７０８Ｌは、スキャンライン７０１の上に配置された少なくとも１つのギャップ７０８Ｓに接続されるか、またはシグナルライン７００はギャップ７０８Ｓを通って隣接するメインスペーサ７０８Ｌに接続される。
【００５５】
仮に、メインの遮蔽構造７５９にあるギャップ７０８Ｓがスキャンライン７０１とコンデンサ７０５の上に配置された場合、補助遮蔽層７３９はメインの遮蔽構造７５９の下に配置される。例えば、スキャンライン７０１から伸びた補助遮蔽層７３９は光がギャップ７０８Ｓを通過するのを防ぐ。
【００５６】
仮に、メインの遮蔽構造７５９にあるギャップ７０８Ｓがシグナルライン７００の上に配置された場合、ストライプ状遮蔽層７５１とシグナルライン７００からそれぞれ伸びた補助遮蔽層７０９と７１９といった補助遮蔽構造は、メインの遮蔽構造７５９の下に配置され、光がギャップ７０８Ｓを通過するのを防ぐ。
【実施例４】
【００５７】
実施例４では、広視野角の特性を有する面内切替型液晶ディスプレイ（ＩＳＰ−ＬＣＤ）の具体例を挙げ、詳細を説明する。図２１は、面内切替型液晶ディスプレイの画素ユニットの平面図である。図２１に示されたように、画素ユニット領域は、シグナルライン８００とスキャンライン８０１によって定義される。コモン電極ライン８６３ｂは画素エリアでスキャンライン８０１に並列して配置されている。薄膜トランジスタはシグナルライン８００とスキャンライン８０１の交差点に隣接して形成される。
【００５８】
図２２には薄膜トランジスタを示しており、図２１のラインＡ−Ａ’に基づいた断面図であり、ゲート電極Ｇ、ゲート絶縁体８１２、半導体層８１５、チャネル層８１６、およびソース／ドレイン電極８１７を含む。ゲート電極Ｇはスキャンライン８０１に接続され、ソース／ドレイン電極８１７はシグナルライン８００に接続される。ゲート絶縁体８１２は下側の透明基板８５６の全表面上に形成される。
【００５９】
コモン電極８６３ａとデータ電極８５４は画素エリアに形成される。コモン電極８６３ａはゲート電極Ｇと形成され、コモン電極ライン８６３ｂに接続される。データ電極８５４はソース／ドレイン電極８１７と形成され、ソース／ドレイン電極８１７に電気的に接続される。更に、保護層８１８と下側のアラインメント層８２０は、下側の透明基板８５６の全表面の上に堆積される。
【００６０】
上側の透明基板８５８には、メインの遮蔽構造８５９は、薄膜トランジスタ、シグナルライン８００とスキャンライン８０１の周りで生成された光漏出を防ぐために形成される。画素エリア内では、メインスペーサ８０８Ｌと２つのギャップ８０８Ｓは、メインの遮蔽構造８５９と複数の予備構造を定義し、そのギャップ８０８Ｓはコモン電極ライン８３６ｂ上に配置され、光がギャップ８０８Ｓを通過しないようにブロックする。つまり、光がギャップ８０８Ｓを通過しないようにブロックするのに用いられた補助遮蔽構造は、コモン電極ライン８６３ｂの主部で、不透明材料で形成される。したがって、通過の光をブロックするための更なる補助構造を必要としない。
【００６１】
これらのギャップ８０８Ｓは、スペースを提供し、液晶ディスプレイパネル全体にかかる圧力を防ぐことによって、カラーフィルター８６０が剥がれるのを防ぐ。カラーフィルター層８６０と上側のアラインメント層８６４は、順にメインの遮蔽構造８５９の上に形成される。また、液晶層８５７は下側基板８６１と上側基板８６２の間に形成される。
【００６２】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００６３】
【図１】実施例１における液晶ディスプレイの画素領域の平面図である。
【図２】図１のカットラインＡ−Ａ’の断面図である。
【図３】図１のカットラインＢ−Ｂ’の断面図である。
【図４】図１のカットラインＣ−Ｃ’の断面図である。
【図５】実施例１に基づいた複数の隣接したディスプレイ画素の魚の骨形遮蔽層の平面図である。
【図６】複数の隣接したディスプレイ画素の魚の骨形層の間にある魚の骨形のスペーサの平面図である。
【図７】図１の画素領域の上側の透明基板に配置されている魚の骨形遮蔽要素を有する、メインの遮蔽構造を表す平面図である。
【図８】二つの隣接したディスプレイ画素の間にあるストライプ状遮蔽層と魚の骨形遮蔽要素の立体図である。
【図９】実施例１における液晶ディスプレイの複数の隣接したディスプレイ画素領域の平面図である。
【図１０】ストライプの遮蔽層とシグナルラインに重なる隔絶した遮蔽構造で、二つの魚の骨形遮蔽要素と補助遮蔽構造を含む遮光構造の一部のみを示す平面図である。
【図１１】シグナルラインに重なり、ストライプ状遮蔽層に接続した二つの魚の骨形遮蔽層と補助遮蔽構造を含む遮光構造の一部のみを示す平面図である。
【図１２】ストライプの遮蔽層に重なり、シグナルラインに接続した二つの魚の骨形遮蔽要素と補助遮蔽構造を含む遮光構造の一部のみを示す平面図である。
【図１３】実施例２における液晶ディスプレイの画素領域の平面図である。
【図１４】図１１のカットラインＡ−Ａ’の断面図である。
【図１５】図１１のカットラインＢ−Ｂ’の断面図である。
【図１６】図１１のカットラインＣ−Ｃ’の断面図である。
【図１７】実施例２における複数の隣接したディスプレイ画素の魚の骨形遮蔽要素の平面図である。
【図１８】図１１の画素領域の上側透明基盤に配置された二つの隣接した魚の骨形遮蔽要素の一部のみを示す平面図である。
【図１９】実施例２における液晶ディスプレイの複数の隣接したディスプレイ画素領域の平面図である。
【図２０】実施例３における液晶ディスプレイの複数の隣接したディスプレイ画素領域の平面図である。
【図２１】ＩＰＳ−ＬＣＤのユニット画素の平面図である。
【図２２】図１７のラインＡ−Ａ’に基づいた断面図である。
【図２３】従来の薄膜トランジスタの液晶ディスプレイを示す断面図である。
【図２４】従来のブラックマトリックスの上面図である。
【符号の説明】
【００６４】
１  下側ガラス基板        ２ａ  ゲート        ２ｂ  蓄積電極
３  絶縁層        ４  アクティブ領域        ５  エッチストッパー
６  オーム抵抗のコンタクト層        ７ａ  ソース        ７ｂ  ドレイン
８  画素電極        ９  保護層        １２  ブラックマトリックス
１３  カラーフィルター        １４  コモン電極
１５  薄膜トランジスタ        １７  蓄電器        １８  開孔部
５００Ａ、５００Ｂ、６００Ａ、６００Ｂ、７００、８００  方向Ｙに伸びているシグナルライン
５０１Ａ、５０１Ｂ、６０１Ａ、６０１Ｂ、７０１、８０１  方向Ｘに伸びているスキャンライン
５０８、６０８  骨形スペーサ
５０８Ｌ、６０８Ｌ、７０８Ｌ、８０８Ｌ  メインスペーサ
５０８Ｓ、６０８Ｓ、７０８Ｓ、８０８Ｓ  ギャップ
５０８Ｓ１  左のギャップ        ５０８Ｓ２  右のギャップ
５０９Ａ、５０９Ｂ、５１９Ａ、５１９Ｂ、７０９、７１９  補助遮蔽層
５１０、６１０  薄膜トランジスタ
５５０、６５０、８１８  保護層
５５１Ａ、５５１Ｂ、６５１Ａ、６５１Ｂ、７５１  ストライプ状遮蔽層
５５４、６５４、７５４  画素電極
５５５、６５５  ゲート絶縁層
５５６、６５６  透明基板
５５７、６５７、８５７  液晶層
５５９、６５９、６５９、７５９、８５９  メインの遮蔽層
５５９Ａ、６５９Ａ、６５９Ａ１、６５９Ａ２  魚の骨形遮蔽層
５５９Ｂ  中央棒        ５５９Ｃ  枝
５５９Ｃ１  左の枝        ５５９Ｃ２    右の枝
５６０、６６０、８６０  カラーフィルター
５６１、６６１  下側基板
５６２、６６２、８６２  上側基板
５６３、６６３、  コモン電極
５６４、６６４  照明源
６０５、７０５  下側電極のコンデンサ
６０６  上側電極のコンデンサ保護層
６０７  開孔
６３９、６３９Ａ、６３９Ｂ、７３９  補助遮蔽層（コンデンサ電極）
８１２  ゲート電極        ８１５  半導体層        ８１６  チャネル層
８１７  ソース／ドレイン電極
８２０  アラインメント層
８５４  データ電極
８５６  下側の透明基板
８５８  上側の透明基板
８６３ａ  コモン電極
８６３ｂ  コモン電極ライン
Ｒ  サブフィルター
Ｇ  ゲート電極
【図１】
2005031631.tif 000003
【図２】
2005031631.tif 000004
【図３】
2005031631.tif 000005
【図４】
2005031631.tif 000006
【図５】
2005031631.tif 000007
【図６】
2005031631.tif 000008
【図７】
2005031631.tif 000009
【図８】
2005031631.tif 000010
【図９】
2005031631.tif 000011
【図１０】
2005031631.tif 000012
【図１１】
2005031631.tif 000013
【図１２】
2005031631.tif 000014
【図１３】
2005031631.tif 000015
【図１４】
2005031631.tif 000016
【図１５】
2005031631.tif 000017
【図１６】
2005031631.tif 000018
【図１７】
2005031631.tif 000019
【図１８】
2005031631.tif 000020
【図１９】
2005031631.tif 000021
【図２０】
2005031631.tif 000022
【図２１】
2005031631.tif 000023
【図２２】
2005031631.tif 000024
【図２３】
2005031631.tif 000025
【図２４】
2005031631.tif 000026